(57)【特許請求の範囲】
【請求項１】
駐車場に停めた車に対する時間的情報を管理する管理手段と、
ユーザによる携帯が可能で、前記管理手段が管理する時間的情報を表示するカード状の端末と、
を具備し、前記端末は駐車終了時間までの残り時間が少なくなると、前記ユーザに報知をすることを特徴とする駐車場情報提供システム。
【請求項２】
インターネットと接続されたサーバであって、駐車場に停めた車に対する時間的情報を管理する駐車管理手段を具備するサーバと、
ユーザが所持しかつ前記サーバとデータの送受信をする移動電話と、
を具備し、前記駐車管理手段は、駐車終了時間までの残り時間が少なくなると、前記サーバから前記移動電話を介して前記ユーザに報知することを特徴とする駐車場情報提供システム。
【請求項３】
前記駐車管理手段は、駐車時間が所定時間を経過したときに前記報知をする請求項２に記載の駐車場情報提供システム。
【発明の詳細な説明】
【０００１】
【発明の属する技術分野】
本発明は、駐車場に停めた車の駐車時間等に関する情報を、ユーザに報知するシステムに関する。
【０００２】
【従来の技術】
従来の有料駐車場における駐車システムは、通常、次のように運用されている。ユーザは、駐車場に車を入庫する時点でカードを受け取り、駐車場所に車を停める。ユーザは、買物等の用事を済ませ、駐車場から出庫する際に、受け取ったカードをゲートで返却し、請求された料金を払う。ここで請求される料金は、カードを受け取ってから返却をするまでの時間に応じて決まる。
【０００３】
【発明が解決しようとする課題】
駐車場の料金は、２時間までは５００円、２時間を超えると１時間ごとに３００円というように、時間及び料金が段階的に決められている。したがって、ユーザは、余分な料金を払わないために、料金が増える時間となる前に駐車場から車を出庫するようにしている。しかしながら、車を駐車場に停めた後、買物等をしていると、つい駐車時間を忘れてしまい、予定以上の駐車料金を払うこととなることが多かった。
【０００４】
本発明は、駐車場に車を停めた後の駐車時間等の情報を、ユーザに対して提供することができるシステムを提供することを目的とするものである。
【０００５】
【課題を解決するための手段】
本発明は、上記目的を達成するためになされたものである。本発明の駐車場情報提供システムにおいては、携帯可能なカード状の端末が駐車場に用意され、ユーザは駐車場を利用するときにこの端末を受け取る。この端末には、駐車場に設けた管理手段が管理する駐車時間、残り時間、料金等の時間情報が表示される。ユーザは、この端末に表示される時間情報を見て、希望の時間内に駐車場から出庫することができる。
【０００６】
また、端末において、残り時間が少なくなった場合などに、音声等によりユーザに報知をすることにより、ユーザは、更に確実に駐車時間のコントロールをすることができる。
本発明は、更に、駐車場にサーバを設けることにより、携帯電話、ＰＨＳ等の移動電話を所持するユーザに対して、駐車の予約、予約に基づく駐車時間等の管理、料金の自動支払い等を可能とする。
【０００７】
【発明の実施の形態】
本発明の実施形態について図を用いて説明する。
（実施形態１）
図１は、本発明の駐車場情報提供システムを適用する駐車場の平面図である。駐車場１の出入口にゲート２、管理装置３が配置される。駐車場１内は、Ａブロック４とＢブロック５に区分され、それぞれが更に駐車番号Ａ１〜８、Ｂ１〜８に区分されている。ここで、駐車番号Ａ１〜８、Ｂ３〜８は普通乗用車用、Ｂ１、２は軽乗用車用とされている。
【０００８】
図２は、管理装置３の構成を示す。管理装置３は、ユーザに対してカード６を発行するカード発行部７と、料金の清算を行う清算部８と、ＣＰＵで構成され装置内の各部を管理する管理部９と、メモリ１０と、送信部１１から構成される。
図３は、カード６の構成を示す。カード６は、ユーザに駐車時間情報を通報する携帯端末として機能する。カード６は、受信部１２と、データ処理部１３と、表示部１４と、音声出力部１５と、データ入力用のキー入力部１６と、メモリ１７を具備する。データ処理部１３はＣＰＵにより構成され、表示部１４は液晶表示器により構成され、音声出力部１５はスピーカにより構成される。メモリ１７には、カード６の各部を制御するプログラムと、その他の必要なデータが記憶される。
【０００９】
カード６がユーザによりカード発行部７から取り出されるとき、管理部９は、送信部１１、カード６の受信部１２を通して、カード６に取り出された時間を書き込む。カード６は、データ処理部１３において、書き込まれた時間を入庫時間として、駐車時間、駐車終了時間までの残り時間、駐車料金を計算する。そして、これらを表示部１４に表示する。
【００１０】
図４を用いて、図１のシステムの動作を説明する。
ユーザは、車を駐車場に入庫するとき、ゲート２において、管理装置３からカード６を受け取る。管理装置３は、その時間をカード６に書き込む（ステップＳ１）。カード６ではその時間を入庫時間として記憶する（ステップＳ２）。ユーザは、車を所定の駐車番号に駐車させて、カード６を持って駐車場１から外へ出る。
【００１１】
カード６は、データ処理部１３において、入庫時間を基準として駐車時間を計算し、これに基づいて、駐車残り時間、料金を演算する（ステップＳ３）。なお、駐車時間の計算には、カード６の取り出し時に入庫時間を書き込む代わりに、カード６にタイマ機能を持たせ、取り出し時にタイマをスタートさせるようにしても良い。
【００１２】
駐車時間、残り時間、料金等の駐車時間情報を表示部１４に表示する（ステップＳ４）。ここでは、「駐車時間○○分、残り時間はあと○○分、料金○○円」と表示される。ステップＳ３、４は、残り時間が多い間（ステップＳ５のＮＯ）は繰り返される。また、残り時間が少なくなると（ステップＳ５のＹＥＳ）、音声出力部１５から、「駐車時間があと１０分となりました駐車場に戻って下さい。」というようにユーザに対して報知をする（ステップＳ６）。
【００１３】
その後も、駐車時間等の計算及び表示は、後述のように、管理装置３に挿入されるまで繰り返される（ステップＳ７、Ｓ８）。
これにより、カード６を保持するユーザは、駐車の残り時間を知ることができ、また、駐車終了時間が迫ると、音声による報知も受けるので、駐車時間内に駐車場に戻ることができる。
【００１４】
ユーザが車を駐車場所から出すとき、ゲート２において、管理装置３にカード６を戻す。清算部８は、カード６が挿入されたことを検知すると、カード６から料金を読み取り（ステップＳ９）、カード６内のデータをリセットし（ステップＳ１０）、料金をユーザに向けて表示し料金の清算処理を行う。ユーザが料金を清算部８に投入して清算をする（ステップＳ１１）と、ゲート２を開けて（ステップＳ１２）、ユーザが駐車場１から出られるようにする。
【００１５】
（実施形態２）
ユーザが駐車場１に車を入れる入庫時に、カード６の表示部１４に、ユーザを駐車場所まで案内する表示をすることにより、よりきめ細かいサービスを提供することができる。
管理装置３の管理部９は、カード６が取り出されるとき、入庫時間を書き込むと同時に、ユーザの車の車種（普通乗用車、軽乗用車）に応じた駐車場所を判定し、その車種に応じた駐車場所の内、空いている駐車番号をカード６に書き込む。なお、車種の判定は、従来より知られている車体の検知装置を使用して行うことができる。また、空いている場所の判定は、管理部９が既にカードを発行した駐車場所をメモリ１０に記憶しておき、まだ駐車の指定をしていない場所から選ぶ。なお、駐車場所が空いているか否かの判定は、各駐車場所に車の検知装置を設置しておき、これにより車両の有無を検出するようにしてもよい。
【００１６】
図５に示す例では、カード６の表示部１４に、図１に示した駐車場全体の地図が表示され、「駐車番号Ａ３に駐車して下さい」という文字による表示がされ、ユーザが駐車すべき場所として駐車番号Ａ３が他の色とは異なる色で表示される。表示部１４には、駐車時間に関する情報と地図情報を表示するので、ユーザは、キー入力部１６のキーを用いて時間表示と地図表示を切り換える。
【００１７】
なお、図５の例では、駐車番号Ａ１〜８、Ｂ９〜１６で指定をしているが、これに代えて、ブロック４、５ごとの指定、車種ごとの駐車場所の指定とすることもできる。
ユーザは、ゲート２においてカード６を受け取ると、表示部１４に、駐車場の地図と指定駐車場所が表示されているので、その表示に従って、指定された駐車場所に車を停める。また、ユーザが駐車場１に戻るときも、カード６に表示された地図に従って、迅速に自分の車のところに戻ることができる。
【００１８】
（実施形態３）
ユーザが自分の車を停めた駐車場１に行くとき、カード６の表示部１４に地図を表示するだけでは不十分な場合もある。本例では、カード６により自分の車の駐車場所までの案内をする。
図６（Ａ）に示すように、駐車場所Ａ１〜８、Ｂ１〜８に、異なる周波数ｆｃ  の発信器１８が配置される。なお、図示の例は、各駐車番号Ａ１〜８、Ｂ９〜１６ごとに発信器１８が設けられているが、各ブロック４、５ごとに設けることもできる。
【００１９】
管理装置３は、カード６を発行するとき、入庫時間、駐車場所と同時に、その駐車番号に配置された発信器１８の発振周波数ｆｃ  をメモリ１７に記憶させる。
カード６では、受信部１２の受信周波数をメモリ１７に記憶した周波数ｆｃ  に合わせる。車が発信器１８に近づいて自分の周波数ｆｃ  の電波の受信レベルが所定値を超えると、表示部１４と音声出力部１５により「駐車場所に近づきました」という表示をする。これにより、ユーザは、入庫時には自分が駐車すべき場所に近づいたことを知り、所定の位置に確実に駐車をすることができる。また、外出から駐車場へ戻ってきたときも、カード６の表示により自分の車を停めた位置を確実に知ることができる。
【００２０】
なお、駐車場所の指定をブロックごととした場合は、そのブロックに近づいたときに上記の各表示がされる。
また、カード６に、受信する電波の方向を検知する機構を組み込むことにより、表示部１４に、図６（Ｃ）に示すように、電波が来る方向を矢印で表示するなどして、進むべき方向を案内することもできる。
【００２１】
（実施形態４）
カード６による案内方法として、カード６が自分の位置を検出し、検出した位置に応じた案内をするようにすることもできる。
図７は、本例におけるカード６の構成例を示す。カード６は、前述の図３及び図４に示したものと同様の構成に加えて、ＧＰＳ１９、送信部２０が設けられる。ユーザは、駐車場所を探そうとするとき、キー入力部１６の所定のキーを押す。処理部１３は、ＧＰＳ１９により自分の位置を検出し、メモリ１７に記憶してある駐車場所（駐車番号、駐車ブロック、駐車場）までの距離（最短距離）を計算し、表示又は音声出力を行う。ユーザは、カード６が表示する距離が短くなる方向へ進めば、駐車場所に向かって進むこととなる。したがって、ユーザは、効率良く自分の車を停めた場所に到達することができる。なお、表示部１４に地図と、自分の車の位置を表示することもできる。
【００２２】
（実施形態５）
駐車場１が、デパート、スーパーなどに付随する設備である場合、買物をすると、買物額に応じてポイントが発生し、駐車料金の割引をするサービスがある。本発明においても、このポイントサービスを適用することができる。
図８のフローチャートを用いてポイントサービスについて説明をする。
【００２３】
駐車場１に関連する設備において買物をし、カード６をレジに示すと、買物額に応じたポイントがカード６に書き込まれ、メモリ１７に記憶される（ステップＳ２１）。管理装置３における清算処理（図４、ステップＳ１１）で、カード６からポイント数が読みだされ（ステップＳ２２）、料金からポイント数に応じた料金が差し引かれる（ステップＳ２３）。
【００２４】
なお、本例では、カード６の表示部１４に、ポイントサービスを受けられる店舗名を表示することもできる。
（実施形態６）
携帯電話、ＰＨＳ等の移動電話を所持するユーザに対して、移動電話を駐車場時間管理用の携帯端末として使用することができる。更に駐車予約等のきめ細かいサービスを提供することができる。
【００２５】
図９は、本例のシステム構成を示す。移動電話として携帯電話を使用する例を説明する。
図９に示すシステムは、前述の図１のシステムに付加して設けられる。ただし、本例を単独で実施することも可能である。駐車場１に複数の受信機２１が配置され、ゲート２に、入出庫検出手段２２が配置される。受信機２１と入出庫検出手段２２は、駐車場管理センタのサーバ２３と接続され、サーバ２３は、インターネット２４と接続される。ユーザは、携帯電話２５を使用して、中継局２６を介してサーバ２３とデータの送受信をする。
【００２６】
図１０は、サーバ２３の構成を示す。
サーバ２３は、サーバとしての通常の構成に加えて、予約処理部２７、入出庫管理部２８、駐車管理部２９、予約データベース（以下、「ＤＢ」と言う。）３１を具備する。予約ＤＢ３１には、横軸に駐車時間帯が割り振られ、縦軸に各駐車番号が割り振られる。また、時間帯ごとの駐車場周辺の混雑度を、その一定時間前の時間帯における予約の量等から推定し、この混雑度を記憶するようにしている。
【００２７】
図１１を用いて、図９のシステムの処理を説明する。
ユーザは、サーバ２３のホームページにアクセスし、駐車場空き情報を携帯電話２５で検索する（ステップＳ４１）。携帯電話２５の表示部に、図１０に示す予約ＤＢ３１の内容が表示される。予約がされていない時間帯の駐車番号は空欄とされ、予約済みの場合は、携帯番号と自動車番号が＊マークで表示される。ユーザは、希望の時間帯に空きがあれば、駐車番号と自車のプレート番号と携帯番号を入力して予約をする（ステップＳ４２）。予約ＤＢ３１には、予約の時間帯と駐車番号の枠に、携帯番号とプレート番号が記憶される。
【００２８】
ユーザは予約時間になると、駐車場１に入る。ゲート２を通過するとき、入出庫検出手段２２が車両のプレート番号を読み取り、入出庫管理部２８により、予約ＤＢ３１との照合を行う（ステップＳ４３）。読み込んだプレート番号が現在の時間帯に予約されていれば、ゲート２を開ける。ユーザは、予約した駐車番号に車を停める。予約がなく、空きの駐車場所がある場合は、前述の実施形態１〜５の方法により、カード６が発行される。
【００２９】
サーバ２３では、入出庫管理部２８により入庫を確認すると、駐車管理部２９により、駐車時間のカウントを開始する（ステップＳ４４）。このとき、駐車時間の開始時間としては、実際に入庫した時間又は予約時間のいずれとすることもできる。ユーザは、車を停めると、携帯電話２５を持って駐車場１から出る。
駐車管理部２９は、予約終了時間より所定時間前（例、１０分前）になると、携帯電話２５と接続し、予約時間が終了することを通知する（ステップＳ４５）。このとき、駐車場１の周辺の混雑状況をサービスとして通知する。この混雑状況は、予約ＤＢ３１に記憶されている。
【００３０】
ユーザは、予約時間前までに駐車場１に戻る。このとき、サーバ２３と携帯電話２５により案内を依頼することができる。駐車場１に配置された複数の受信機２１が通話中の携帯電話２５の電波を検知し、駐車管理部２９は、各受信機２１が受信する電波強度から携帯電話２５の位置を判定する。また、予約ＤＢ３１から携帯電話２５の駐車番号を読み出し、携帯電話２５の現在位置と駐車番号位置とから、ユーザに音声により案内を行う。なお、携帯電話２５に地図データを送信し、その表示部に地図とユーザの現在位置と駐車番号位置を表示するようにしてもよい。
【００３１】
ユーザが駐車場１から出るとき、ゲート２を通過すると、入出庫検出手段２２によりプレート番号を読み取り、予約ＤＢ３１から、該当の車が出庫したことを確認する。そして、携帯電話と取引のある銀行の口座から、料金を自動引き落とし処理する（ステップＳ４６）。なお、この料金は、駐車時間だけではなく、混雑情報の報知等の付加サービスの料金を含めることができる。
【００３２】
【発明の効果】
本発明によれば、駐車場に車を停めた後の駐車時間等の情報をユーザに対して提供することができ、ユーザにとって便利なシステムを提供することができる。
【図面の簡単な説明】
【図１】本発明を適用した駐車場の平面図。
【図２】図１の管理装置の構成を示す図。
【図３】図１のカードの構成を示す図。
【図４】図１のシステムの動作を示すフローチャート。
【図５】図３のカードの表示例を示す図。
【図６】図１の変形例を示す図。
【図７】図３のカードの変形例を示す図。
【図８】本発明におけるポイントサービスを説明するフローチャート。
【図９】本発明の他の実施形態のシステム構成を示す図。
【図１０】図９のシステムにおけるサーバの構造を示す図。
【図１１】図９のシステムによる処理を示す図。
【符号の説明】
１…駐車場
２…ゲート
３…管理装置
４…Ａブロック
５…Ｂブロック
６…カード
７…カード発行部
８…清算部
９…管理部
１０…メモリ
１１…送信部
１２…受信部
１３…データ処理部
１４…表示部
１５…音声出力部
１６…キー入力部
１７…メモリ
１８…発信器
１９…ＧＰＳ
２０…送信部
２１…受信機
２２…入出庫検出手段
２３…サーバ
２４…インターネット
２５…携帯電話
２６…中継局
２７…予約処理部
２８…入出庫管理部
２９…駐車管理部
３１…予約ＤＢ
Ａ１〜８、Ｂ９〜１６…駐車番号
【図１】
0003630619.tif 000002
【図２】
0003630619.tif 000003
【図３】
0003630619.tif 000004
【図４】
0003630619.tif 000005
【図５】
0003630619.tif 000006
【図６】
0003630619.tif 000007
【図７】
0003630619.tif 000008
【図８】
0003630619.tif 000009
【図９】
0003630619.tif 000010
【図１０】
0003630619.tif 000011
【図１１】
0003630619.tif 000012